(57)【要約】【課題】  予約された番組を記録する際の受信音声によりユーザや周囲に与える不快感を低減し、無駄な消費電力の低減を図った受信装置を提供する。【解決手段】  タイマー予約設定画面６００に対し、ユーザが設定項目６２０の「消音」を選択し、「する」を設定すると、ＣＰＵは、消音設定を行い、その設定内容を内部記憶部に記憶する。タイマー予約した番組の放送開始時刻になると、タイマー予約された番組の記録を開始する。このとき、内部記憶部に記憶されている設定内容に従い、受信音声の出力を行わないように制御する。【選択図】    図６
2007036616.tif 000002
【特許請求の範囲】
【請求項１】
所定の番組の放送を受信する受信部と、
前記所定の番組を記録する記録部と、
前記所定の番組の記録を予約する予約部と、
前記予約部によって予約された前記所定の番組の記録を前記記録部が行うとき、前記所定の番組の音声を出力するか否かを設定する設定部と、
前記予約部による予約、および前記設定部による設定に関する情報を表示する表示部と、
前記受信部、前記記録部および前記表示部を含む各部に電源を供給するバッテリーとを備えたことを特徴とする受信装置。
【請求項２】
前記設定部は、前記記録部が記録を行っているとき、前記音声を出力させ、前記記録部の記録が終了したとき、前記音声の出力を停止する設定を行うことを特徴とする請求項１に記載の受信装置。
【請求項３】
前記設定部は、前記所定の番組の前記音声を出力することを設定した場合に、前記音声の音量を設定することを特徴とする請求項１に記載の受信装置。
【請求項４】
前記設定部は、前記所定の番組の開始時刻あるいはその前に、アラーム等の可聴信号、バイブレーション等の体感信号等の報知信号を出力するか否かを設定することを特徴とする請求項１に記載の受信装置。
【請求項５】
前記設定部は、前記報知信号を出力する設定を行ったとき、前記報知信号の出力時間を設定することが可能な請求項４に記載の受信装置。
【請求項６】
前記設定部は、前記報知信号として前記可聴信号を出力する設定を行ったとき、前記可聴信号の音量を設定することが可能な請求項４に記載の受信装置。
【請求項７】
前記設定部は、前記報知信号として前記可聴信号を出力する設定を行ったとき、前記可聴信号を出力している間同じ音量で出力する方法と、小さな音から大きな者へと段階的に変化する方法で出力するかのいずれかを選択することが可能な請求項６に記載の受信装置。
【請求項８】
前記設定部は、前記報知信号として前記可聴信号を出力する設定を行ったとき、前記可聴信号の音パターンを設定することが可能な請求項４に記載の受信装置。
【請求項９】
前記設定部は、前記所定の番組の開始時刻の前に前記報知信号を出力する設定を行ったとき、前記所定の番組の開始時刻に前記報知信号の出力を停止する設定をすることが可能な請求項４に記載の受信装置。
【請求項１０】
前記設定部は、前記所定の番組の開始時刻の前に前記報知信号を出力する設定を行ったとき、前記報知信号の出力時刻と前記所定の番組の開始時刻との間の時間を設定することが可能な請求項４に記載の受信装置。
【発明の詳細な説明】
【技術分野】
【０００１】
本発明は、番組タイマー予約機能を有する受信装置に関する。
【背景技術】
【０００２】
携帯容易なテレビ／ラジオ受信装置と、このような携帯用受信装置を対象とした放送システムが開発され、専用の番組放送も開始されている。このような受信装置は携帯容易とするため、小型化が図られている。一方、ＤＶＤやＨＤＤ、メモリーカード等の記録媒体も高記録密度化により小型化が進んでいる。このため、近年、デジタル放送された番組を記録媒体にデジタル記録するモバイル放送受信装置が普及している。
【０００３】
この種の受信装置は、電子番組表（ＥＰＧ：Electronic Program Guide）からなるＥＰＧ画面を表示し、ユーザがＥＰＧ画面から番組を選択すると、その番組の録画日時を自動設定する方法が採用されている。これにより、従来、録画予約のために、所望の放送番組が放送される日時をユーザ自らが設定登録する手間を省くことができる。
【０００４】
一方、デジタル放送受信機として、番組録画予約機能と、番組視聴予約機能とを有するものも提案されている（例えば、特許文献１参照。）。
【特許文献１】特開２００２−３２０１６９号公報
【発明の開示】
【発明が解決しようとする課題】
【０００５】
しかし、従来のモバイル放送受信装置によると、番組録画予約を行った場合、番組開始時刻になると、受信映像や受信音声を出力する必要がない場合でも出力されているため、受信音声の音量によっては睡眠中のユーザや周囲に不快な思いをさせることがあり、また、無駄な電力消費を招いている。
【０００６】
また、特許文献１のデジタル放送受信機によると、番組の記録と同時に視聴を予約する場合は、番組録画予約とは別に番組視聴予約を設定しなければならず、ユーザにとって操作性が悪いものとなっている。
【０００７】
従って、本発明の目的は、予約された番組を記録する際の受信音声によりユーザや周囲に与える不快感を低減するようにした受信装置を提供することにある。
【０００８】
また、本発明の他の目的は、無駄な消費電力の低減を図った受信装置を提供することにある。
【課題を解決するための手段】
【０００９】
本発明の一態様は、所定の番組の放送を受信する受信部と、前記所定の番組を記録する記録部と、前記所定の番組の記録を予約する予約部と、前記予約部によって予約された前記所定の番組の記録を前記記録部が行うとき、前記所定の番組の音声を出力するか否かを設定する設定部と、前記予約部による予約、および前記設定部による設定に関する情報を表示する表示部と、前記受信部、前記記録部および前記表示部を含む各部に電源を供給するバッテリーとを備えたことを特徴とする受信装置を提供する。
【００１０】
上記受信装置によれば、外部に受信音声を出すことにより、ユーザは設定した番組が始まったことを知ることができる。また、電車の中や、睡眠を取っている時に、受信音声を出すと大変不快である。受信音声を出してはいけない場所は受信音声の出力を停止する消音設定を行い、番組が始まることを知りたい場合は、外部に受信音声を出すようにする。
【００１１】
前記設定部は、前記記録部が記録を行っているとき、前記音声を出力させ、前記記録部の記録が終了したとき、前記音声の出力を停止する設定を行う構成とすることができる。これにより、無駄な消費電力を低減することができる。
【００１２】
前記設定部は、前記所定の番組の前記音声を出力することを設定した場合に、前記音声の音量を設定する構成にすることができる。設定した時刻になり、急に、スピーカから受信音声を出せば、ユーザのいる場所や、状況によって大きな音量を出力したくない場合があるので、音量を予め設定することで、ユーザや周りに不快な思いをさせないで済む。
【００１３】
前記設定部は、前記所定の番組の開始時刻あるいはその前に、アラーム等の可聴信号、バイブレーション等の体感信号等の報知信号を出力するか否かを設定する構成にすることができる。番組の開始時刻の前に報知信号を出力することにより、ユーザはタイマー予約した番組が、まもなく開始することを知ることができる。また、報知信号として可聴信号を出力する設定を行うことにより、番組の開始を容易に知ることができる。また、報知信号として体感信号を出力する設定を行うことにより、電車の中のように音を出してはいけないような場所や、睡眠中のように音を出したくないような場合でも、バイブレーション等により番組が始まることを知ることができる。可聴信号には、アラームや音楽等が含まれる。
【００１４】
前記設定部は、前記報知信号を出力する設定を行ったとき、前記報知信号の出力時間を設定する構成とすることができる。報知信号の出力時間が短くても気づく人もいれば、長くないと気づかない人もいるので、ユーザ個々で好きな出力時間を設定できる方がユーザにとって便利である。
【００１５】
前記設定部は、前記報知信号として前記可聴信号を出力する設定を行ったとき、前記可聴信号の音量を設定する構成にすることができる。音量は人により感じ方が違う。大きな音量で気づく人もいれば、小さな音量で気づく人もいるので、ユーザ個々で好きな音量を設定できる方が、ユーザにとって便利であり、また場所により大きな音を出してはいけない所でも小さな音量で、番組が始まることを知ることができる。
【００１６】
前記設定部は、前記報知信号として前記可聴信号を出力する設定を行ったとき、前記可聴信号を出力している間同じ音量で出力する方法と、小さな音から大きな者へと段階的に変化する方法で出力するかのいずれかを選択する構成にすることができる。目覚ましのように、ユーザーが深夜、寝ているときにいきなり大きな音が鳴れば不快に感じる。また、可聴信号を目覚まし時計の代わりに使用したい時に、音の大きさを小さい音から大きな音へと段階的に音を出した方が不快に感じない。
【００１７】
前記設定部は、前記報知信号として前記可聴信号を出力する設定を行ったとき、前記可聴信号の音パターンを設定する構成にすることができる。この構成により、を設定することができることにより、ユーザー個々の好みに合った音で、設定した番組が始まることを知ることができる。
【００１８】
前記設定部は、前記設定部は、前記所定の番組の開始時刻の前に前記報知信号を出力する設定を行ったとき、前記所定の番組の開始時刻に前記報知信号の出力を停止する設定をする構成にすることができる。報知信号として可聴信号を用いた場合、ユーザが設定した音に気づかず、可聴信号を消さないとき、周りに迷惑をかけることがある。また、消す時間を指定しておけば、ユーザが設定した音を消す手間が省ける。
【００１９】
前記設定部は、前記所定の番組の開始時刻の前に前記報知信号を出力する設定を行ったとき、前記報知信号の出力時刻と前記所定の番組の開始時刻との間の時間を設定する構成にすることができる。報知信号の出力時刻と番組の開始時刻との間の時間を設定する方が、報知信号の出力時刻を設定するよりも容易となる。
【発明の効果】
【００２０】
本発明によれば、予約された番組を記録する際の受信音声によりユーザや周囲に与える不快感を低減することができる。
【発明を実施するための最良の形態】
【００２１】
以下、図面を参照しながら本発明の実施の形態について説明する。
【００２２】
（システムの構成）
図１は、本発明の実施の形態に係る受信システムの概略構成を示す。この受信システムは、地上に設置され、テレビ番組放送やラジオ番組放送などの複数のデジタル放送を送信可能な放送基地局２と、放送基地局２からの放送電波を宇宙空間に位置する放送衛星３を介して受信するモバイル放送受信装置１とから概略構成されている。
【００２３】
なお、図１は衛星放送を受信する場合の例を示したものであるが、本発明に係る受信装置１は、これに限らず、地上波放送を受信するもの、ケーブル等の伝送媒体を介して受信するもの、双方向で受信するものなどであってもよい。
【００２４】
モバイル放送受信装置１は、複数の放送の中から好みの番組を選択し、視聴することができ、番組の記録を予約することができる番組記録予約機能を有するものであり、アンテナや電子回路、本装置１の各部に電源を供給するバッテリー等を内蔵した本体部４と、本体部４の上部にヒンジ部１ａによって開閉自在に設けられたラップトップ部５とを有する。
【００２５】
本体部４は、上面に各種のスイッチを備えた操作部６が設けられ、前面に、スピーカ７、ヘッドホン端子８、および後述するメモリーカードが挿入されるスロット９が設けられている。なお、スピーカ７およびヘッドホン端子８は、音声出力部を構成する。
【００２６】
ラップトップ部５は、液晶ディスプレイ，有機ＥＬディスプレイ等の表示部１９を備える。
【００２７】
ユーザがテレビ番組の視聴を望む場合には、表示部１９に番組画像が表示され、音声出力部から番組音声が発生する。また、ユーザがラジオ番組の聴取を望む場合には、音声出力部から番組音声が発生すると同時に、表示部１９には、放送中の番組や楽曲の内容に関する情報等が表示される。テレビ番組かラジオ番組かの選択は操作部６の操作によって行われる。
【００２８】
（モバイル放送受信装置１の内部構成）
図２は、モバイル放送受信装置１の内部構成を示すブロック図である。受信装置１は、アンテナ１１、チューナ１２、トランスポートストリーム（ＴＳ）データ分離部１３、ＣＰＵ１４、メモリーカードコントローラ１５、内部記憶部１６、デジタル・シグナル・プロセッサ（ＤＳＰ）１７、グラフィックコントローラ１８、表示部１９、Ｄ／Ａコンバータ２０、音声出力部２１、タイマー２２、アラーム発生部２３およびバイブレータ２４を備える。
【００２９】
アンテナ１１は、放送基地局２より出力され、放送衛星３を介して送信される衛星放送番組に関する放送電波を受信するものであり、受信した放送電波を電気信号に変換してチューナ１２に送信する。
【００３０】
チューナ１２は、アンテナ１１より送信されたデジタル番組放送信号から必要なデータを選択し、ＴＳデータ分離部１３へと送信する。
【００３１】
ＴＳデータ分離部１３は、チューナ１２より受信したデジタル番組放送信号について、番組映像や番組音声に関する映像／音楽データと、ＥＰＧデータや管理データ等の管理情報データとに分離し、管理情報データをＣＰＵ１４に、映像／音声データをＤＳＰ１７に、それぞれ送信する。
【００３２】
ＣＰＵ１４は、受信装置１における各機能の制御を司るものであり、各構成部に対して信号を送信し、各種動作を実行させる。また、受信した管理情報データの内部記憶部１６への格納や読込等におけるデータの移動の制御を行う。
【００３３】
メモリーカードコントローラ１５は、外部記憶装置２３となるメモリーカード等を制御し、録画／録音した番組データの読み書きを行う。
【００３４】
内部記憶部１６は、受信装置１を駆動させるためにＣＰＵ１４に実行させる後述する図７Ａ，図７Ｂ，図８に示すようなタイマー予約プログラム１６０等のプログラムの格納や、当該プログラムに用いられる各種パラメータ、管理情報データ等の一時的な格納、録画／録音した番組データの格納のために用いられるものであり、具体的には、ＲＯＭ，ＲＡＭ，ＨＤＤなどが該当する。
【００３５】
ＤＳＰ１７は、ＴＳデータ分離部１３より受信した映像／音声データの演算処理を行う。そして、映像データをグラフィックコントローラ１８に、音声データをＤ／Ａコンバータに、それぞれ送信する。
【００３６】
グラフィックコントローラ１８は、ＤＳＰ１７より受信した映像データを、表示部１９で表示可能となるように処理をする。そして処理されたデータを表示部１９へ送信する。
【００３７】
表示部１９は、グラフィックコントローラ１８より受信した映像データをモニタ上に表示する。表示される画像は、衛星放送によるテレビ番組の画像や、音声番組に関する文字情報、受信装置１の機器設定に関する情報等である。
【００３８】
Ｄ／Ａコンバータ２０は、ＤＳＰ１７又はアラーム発生部２３より受信した音声データを、デジタルデータからアナログデータに変換する。変換されたアナログ音声データは、音声出力部２１へ送信する。
【００３９】
音声出力部２１は、Ｄ／Ａコンバータ２０より受信したアナログ音声データを音声に変換し、出力を行うものであり、アンプ、スピーカ７、ヘッドホン端子８等を備える。
【００４０】
タイマー２２は、時計カレンダー機能を有し、現在の日時、曜日等のタイマー情報をＣＰＵ１４に通知するものである。
【００４１】
アラーム発生部２３は、音声合成によって作成された複数種の音発生パターンを有し、ＣＰＵ１４からの選択信号により選択された音発生パターンをＤ／Ａコンバータ２０に出力する。
【００４２】
バイブレータ２４は、振動発生機構を有し、ＣＰＵ１４からの駆動信号に基づいて振動を発生するものである。
【００４３】
図３は、操作部６の詳細を示す。操作部６は、表面の上下左右に三角マーク６１ａ〜６１ｄを有するドーナツ状のカーソルボタン６０と、そのカーソルボタン６０の内側に配置された円形の決定ボタン６２と、細長形状のバックボタン６３、番組リストボタン６４、およびその他のボタン６５ａ〜６５ｄとを備える。カーソルボタン６０、決定ボタン６２およびバックボタン６３については後述する。６４は、現在放送されている番組のリストを表示させる番組リストボタン、６５ａは、録音データの再生を停止するストップボタン、６５ｂは、データ情報サービスを表示させるボタン、６５ｃは、メモリーカードに記録されているメモのリストを表示させるボタン、６５ｄは、クイックメニューと設定メニューを表示させるクイック／設定ボタンである。
【００４４】
図４は、内部記憶部１６に記憶されるタイマー予約設定情報の一例を示す。受信映像および受信音声については、図４（ａ）に示すように、記録開始時に出力するか否かの「有・無」、「大・中・小」の音量、記録終了時に出力を終わらせるか否かの「有・無」を設定できるようになっている。記録終了時の「有・無」は、記録開始時の出力を「有」に設定した場合に設定可能となる。
【００４５】
タイマーアラームとバイブレーションについては、図４（ｂ）に示すように、それぞれ起動設定を行うか否かの「有・無」、記録開始の何分前に動作させるかの動作開示時刻、動作時間を設定できるものであり、タイマーアラームについては、さらに、ベル、パトカー、花火等の音や、エリーゼのために等の音楽等のアラームの種類を選択でき、「大・中・小」の音量が選択でき、「段階的」に音量を大きくするなどの選択も可能となっている。
【００４６】
（モバイル放送受信装置の動作）
次に、モバイル放送受信装置１の動作を図１〜図８を参照して説明する。
【００４７】
（１）タイマー予約
図７Ａ，図７Ｂは、番組タイマー予約のフローを示す。ユーザが操作部６のクイック／設定ボタン６５ｄを押下すると、ＣＰＵ１４は、メニュー画面を表示部１９に表示する。ユーザは、メニュー画面からタイマー予約を選択すると（Ｓ１：Ｙｅｓ）、ＣＰＵ１４は、タイマー予約プログラム１６０に基づいて、図７Ａ，図７Ｂに示すフローチャートを実行し、表示部１９に電子番組表（ＥＰＧ：Electronic Program Guide）からなるＥＰＧ画面を表示する。
【００４８】
図５は、そのＥＰＧ画面を示す。ＥＰＧ画面５００には、放送番組がセルによりチャンネル毎に表わされ、各セルには、番組名や番組内容が表示されている。ユーザが、操作部６のカーソルボタン６０を押下してカーソル５０１を記録を所望する番組に位置させ、決定ボタン６２を押下して決定することにより（Ｓ２：Ｙｅｓ）、ＣＰＵ１４は、予約する番組を設定し（Ｓ３）、表示部１９にタイマー予約設定画面を表示する。ここでは、ラジオ番組を予約したとする。
【００４９】
図６は、そのタイマー予約設定画面を示す。このタイマー予約設定画面６００の上部には、番組名等の番組情報６１０が表示され、中央部には、「チャンネル」、「日付」、「開始」、「終了」、「消音」、「電源ＯＦＦ」、「記録」の設定項目６２０とカーソル６２１が表示され、下部には、操作案内６３０が表示されている。操作案内６３０には、設定項目６２０の選択６３１、設定項目６２０の設定内容の変更６３２、設定内容の変更の決定６３３、および前回選択したチャンネルに戻すキャンセル６３４が表示されている。これらの表示に対応する操作部６のボタンを操作することにより、それぞれの機能が実行される。
【００５０】
記録する番組を選択すると、設定項目６２０の「チャンネル」にはチャンネル名、「日付」には放送される日付と曜日、「開始」には放送開始時刻、「終了」には放送終了時刻が表示され、「消音」には「しない」、「電源ＯＦＦ」には「する」がディフォルト値として表示される。ここで、「消音」とは、スピーカ７から受信音声を出力しないことをいう。「電源ＯＦＦ」とは、図６に示す設定項目６２０の「終了」に設定されている時刻にＣＰＵ１４の制御に係る部分やタイマー２２以外の構成部分（表示部１９等）への電源供給を遮断している状態（省電力状態）にすることをいう。
【００５１】
操作案内１４０の選択１４１に対応して図３のカーソルボタン６０の左右の三角マーク６１ｃ，６１ｄの部分を押下することにより、カーソル６２１を左右に移動させて設定項目６２０を選択することができる。設定項目６２０を選択した後、操作案内１４０の変更６３２に対応して図３のカーソルボタン６０の上下の三角マーク６１ａ，６１ｂの部分を押下することにより、設定内容を変更することができる。設定内容を変更した後、決定１４３に対応する決定ボタン６２を押下することにより、設定内容が確定される。設定項目６２０の「開始」や「終了」の時刻も変更することができ、「消音」は「する」に、「電源ＯＦＦ」は「しない」に変更することができる。
【００５２】
次に、ユーザは、設定項目６２０の「消音」を選択し、「しない」に設定すると（Ｓ４：Ｎｏ）、ＣＰＵ１４は、消音設定（Ｓ５）を行わず、ユーザが設定項目６２０の「電源ＯＦＦ」を選択し、「する」に設定すると（Ｓ６：Ｙｅｓ）、ＣＰＵ１４は、電源ＯＦＦを設定する（Ｓ７）。次に、ユーザは、記録を設定すると（Ｓ８）、ＣＰＵ１４は、記録する処理を行う（Ｓ９）。すなわち、上記各設定内容を内部記憶部１６に記憶する。なお、上記ステップＳ４で設定項目６２０の「消音」に対し「する」に設定すると（Ｓ４：Ｙｅｓ）、ＣＰＵ１４は、消音設定を行う（Ｓ５）。
【００５３】
次に、ユーザは、アラームの設定画面を選択すると、ＣＰＵ１４は、アラーム設定画面を表示部１９に表示する。ユーザは、アラーム設定画面に対し、タイマーアラームの起動設定（Ｓ１１：Ｙｅｓ）、タイマーアラームが鳴り続ける時間（鳴動時間）の設定（Ｓ１２：Ｙｅｓ）を行うと、ＣＰＵ１４は、ユーザにより設定された鳴動時間を内部記憶部１６に記憶する（Ｓ１３）。
【００５４】
次に、ユーザが、タイマーアラームの種類を設定すると（Ｓ１４：Ｙｅｓ）、ＣＰＵ１４は、その設定されたタイマーアラームの種類を内部記憶部１６に記憶する（Ｓ１５）。
【００５５】
次に、ユーザがタイマーアラームの鳴り始める時刻（アラーム開始時刻）を設定すると（Ｓ１６：Ｙｅｓ）、ＣＰＵ１４は、その時刻を内部記憶部１６に記憶する（Ｓ１７）。アラーム開始時刻は、番組タイマー予約した番組の開始時刻と一致させることも、番組の開始時刻の何分前にアラームを鳴らすかの設定もできる。
【００５６】
次に、ユーザは、タイマーアラームの音量を設定すると（Ｓ１８：Ｙｅｓ）、ＣＰＵ１４は、その音量の値を内部記憶部１６に記憶する（Ｓ１９）。
【００５７】
（２）タイマー予約に基づく番組の記録
図８は、番組タイマー予約で設定した番組の記録動作のフローを示す。ＣＰＵ１４は、タイマー予約プログラム１６０に基づいて、図８に示すフローチャートを実行する。なお、受信装置１は、省電力状態にあるとする。
【００５８】
ＣＰＵ１４は、タイマー２２からのタイマー情報に基づいて、記録開始時刻に達したことを知ると、装置１内の各部に電源を供給し、記録を開始する。
【００５９】
ＣＰＵ１４は、内部記憶部１６の記憶内容を調べて受信音声出力が設定されているか判断し（Ｓ２１）、受信音声出力が設定されている場合は（Ｓ２１：Ｙｅｓ）、番組開始時刻に受信音声出力開始の処理を行う（Ｓ２２）。ＣＰＵ１４は、メモリーカードコントローラ１５を制御してスロット９に装填されたメモリーカードに番組を記録させるとともに、Ｄ／Ａコンバータ２０を制御して受信音声を音声出力部２１のスピーカ７から出力させる（Ｓ２３）。
【００６０】
なお、上記ステップＳ２１において、受信音声出力が設定されていない場合は（Ｓ２１：Ｎｏ）、ＣＰＵ１４は、番組開始時刻になっても、受信音声がスピーカ７から出力されないようにＤ／Ａコンバータ２０を制御する。
【００６１】
次に、ＣＰＵ１４は、電源ＯＦＦが設定されているか判断し（Ｓ２４）、電源ＯＦＦが設定されている場合は（Ｓ２４：Ｙｅｓ）、番組終了時刻に電源ＯＦＦの処理を行う（Ｓ２５）。
【００６２】
（実施の形態の効果）
本実施の形態によれば、以下の効果を奏する。
（イ）タイマー予約による記録開始時刻にスピーカ７から受信音声を出力しているので、ユーザは設定した番組が始まったことを知ることができる。
（ロ）アラーム音の鳴動開始時刻を番組の開始時刻前に設定することにより、ユーザはタイマー予約した番組が、まもなく開始することを知ることができる。
（ハ）タイマー音の音量を設定することができるので、音量は人により感じ方が違う。大きな音量で気づく人もいれば、小さな音量で気づく人もいるので、ユーザ個々で好きな音量を設定できる方が、ユーザにとって便利であり、また場所により大きな音を出してはいけない所でも小さな音量で、番組が始まることを知ることができる。
（ニ）タイマー音の音パターンを設定することができるので、ユーザ個々の好みに合った音で、設定した番組が始まることを知ることができる。
（ホ）放送番組を記録中に受信音声の出力を停止することができるため、無駄な消費電力の低減を図ることができる。
【００６３】
なお、本発明は、上記実施の形態に限定されず、発明の趣旨を逸脱しない範囲内において種々変形実施が可能である。例えば、上記実施の形態では、ラジオ放送番組について説明したが、テレビ放送番組についても本発明は同様に適用することができる。
【００６４】
また、報知信号としてアラームについて説明したが、本発明は、バイブレーションについてもアラームと同様に動作開始時刻や動作時間等を設定することができる。
【００６５】
また、上記実施の形態では、タイマー記録終了時に省電力状態にしたが、全ての電源を遮断してもよい。
【００６６】
また、上記実施の形態では、タイマー予約した番組を外部記憶装置に記憶したが、本体部にＨＤＤ等の大容量の記憶部を設け、その記憶部に記憶してもよい。
【図面の簡単な説明】
【００６７】
【図１】本発明の実施の形態に係る受信システムの概略構成を示す図である。
【図２】本発明の実施の形態に係る受信装置の内部構成を示すブロック図である。
【図３】操作部の詳細を示す平面図である。
【図４】（ａ），（ｂ）は、内部記憶部に記憶されるタイマー予約設定情報の一例を示す図である。
【図５】ＥＰＧ画面を示す図である。
【図６】タイマー予約設定画面を示す図である。
【図７Ａ】番組タイマー予約のフローを示す図である。
【図７Ｂ】番組タイマー予約のフローを示す図である。
【図８】番組タイマー予約で設定した時刻の記録動作のフローを示す図である。
【符号の説明】
【００６８】
１  受信装置
１ａ  ヒンジ部
２  放送基地局
３  放送衛星
４  本体部
５  ラップトップ部
６  操作部
７  スピーカ
８  ヘッドホン端子
９  スロット
１１  アンテナ
１２  チューナ
１３  ＴＳデータ分離部
１５  メモリーカードコントローラ
１６  内部記憶部
１８  グラフィックコントローラ
１９  表示部
２０  コンバータ
２１  音声出力部
２２  タイマー
２３  アラーム発生部
２４  バイブレータ
２５  外部記憶装置
６０  カーソルボタン
６１ａ〜６１ｄ  三角マーク
６２  決定ボタン
６３  バックボタン
６４  番組リストボタン
６５ａ〜６５ｄ  その他のボタン
１６０  タイマー予約プログラム
５００  ＥＰＧ画面
５０１  カーソル
６００  タイマー予約設定画面
６１０  番組情報
６２０  設定項目
６２１  カーソル
６３０  操作案内
６３１  選択
６３２  表示切換
６３３  決定
６３４  キャンセル
【図１】
2007036616.tif 000003
【図２】
2007036616.tif 000004
【図３】
2007036616.tif 000005
【図４】
2007036616.tif 000006
【図５】
2007036616.tif 000007
【図６】
2007036616.tif 000008
【図７Ａ】
2007036616.tif 000009
【図７Ｂ】
2007036616.tif 000010
【図８】
2007036616.tif 000011